(57)【要約】【課題】  接合品質が確保されると共に製造コストが抑制され、且つ、廃棄又はリサイクル時に分解が可能な異種材料の接合構造及び異種材料の接合方法を提供する。【解決手段】  アルミ材１とクラッド材３のアルミ材層３ａとが摩擦攪拌接合され、また、摩擦攪拌接合時に発生される摩擦熱によりクラッド材３に塗布された接着剤４が硬化されて鋼材２とクラッド材３の鋼材層３ｂとが接着接合される。従って、アルミ材×アルミ材の接合に好適な摩擦攪拌接合によりアルミ材１とクラッド材３のアルミ材層３ａとが接合されるので、接合品質が確保される。また、アルミ材×アルミ材の組み合わせの抵抗溶接が廃止され、アルミ材１の前処理が不要になり、製造コストが削減される。さらに、アルミ材１と鋼材２との間に、当該アルミ材１と鋼材２との合金が形成されないので、廃棄又はリサイクル時には、例えば、接合された部分を高温で保持させることにより、クラッド材２をアルミ材層３ａと鋼材層３ｂとに分離させてアルミ材部分と鋼材部分とに分解させることが可能になる。【選択図】  図１
2005111489.tif 000002
【特許請求の範囲】
【請求項１】
異種材料からなる２つの被接合部材が、各材料が２層に圧延されて形成されたクラッド材を介在させて重ね合わされた部分で接合される異種材料の接合構造であって、一方の被接合部材と前記クラッド材の一層との間に溶接接合部が形成され、また、他方の被接合部材と前記クラッド材の他層との間に接着接合部が形成されることを特徴とする異種材料の接合構造。
【請求項２】
一方の被接合部材と前記クラッド材の一層との間に、前記溶接接合部と併せて前記接着接合が形成されることを特徴とする請求項１に記載の異種材料の接合構造。
【請求項３】
他方の被接合部材と接着接合で接合される前記クラッド材の他層の板厚が、一方の被接合部材と溶接接合される前記クラッド材の一層の板厚よりも小さく形成されることを特徴とする請求項１又は２に記載の異種材料の接合構造。
【請求項４】
異種材料からなる２つの被接合部材を、各材料が２層に圧延されて形成されたクラッド材を介在させて重ね合わされた部分で接合させる異種材料の接合方法であって、一方の被接合部材と前記クラッド材の一層とを溶接接合させつつ、該溶接接合の際に発生された熱により接着剤を硬化させて他方の被接合部材と前記クラッド材の他層とを接着接合させることを特徴とする異種材料の接合方法。
【請求項５】
一方の被接合部材と前記クラッド材の一層とを、溶接接合と接着接合とを併用させて接合させることを特徴とする請求項４に記載の異種材料の接合方法。
【請求項６】
一方の被接合部材と前記クラッド材の一層とを、摩擦攪拌接合により接合させることを特徴とする請求項４又は５に記載の異種材料の接合方法。
【請求項７】
一方の被接合部材に回転させた摩擦攪拌用工具を押し付けつつ、他方の被接合部材を回転させた支持用工具により支持させたことを特徴とする請求項６に記載の異種材料の接合方法。
【発明の詳細な説明】
【技術分野】
【０００１】
本発明は、異種材料の接合構造及び接合方法に関し、特に、異種材料間にクラッド材を介在させる異種材料の接合構造及び接合方法に関する。
【背景技術】
【０００２】
従来から、異種材料をクラッド材（異種材料を１枚の板に圧延させた複合材）を介して接合することが行われている。例えば、特許文献１には、鋼材とアルミ材との間に鋼材とアルミ材とのクラッド材（２層クラッド）を介在させて当該鋼材とアルミ材とを抵抗溶接する異種金属接合方法が記載されている。該異種金属接合方法では、被接合部材側の鋼材とクラッド材側の鋼材との間にナゲットが形成されて当該被接合部材側の鋼材とクラッド材側の鋼材とが接合されると共に被接合部材側のアルミ材とクラッド材側のアルミ材との間にナゲットが形成されて当該被接合部材側のアルミ材とクラッド材側のアルミ材とが接合されることにより、被接合部材側の鋼材とアルミ材とがクラッド材を介して接合される。しかしながら、一般に知られるように、アルミ材とアルミ材との間の接触抵抗が鋼材と鋼材との間の接触抵抗と比較して著しく低く、且つ安定しないため、鋼材×鋼材の抵抗溶接とアルミ材×アルミ材の抵抗溶接とを同時に行い、特に、アルミ材とアルミ材との間に均一な抵抗溶接接合部（ナゲット）を形成させるのが極めて困難であった。
【０００３】
そこで、上記異種金属接合方法は、前処理として、アルミ材に形成された酸化膜を除去した後、該アルミ材を熱処理して、アルミ材表面の接触抵抗を高めると共に安定化させて、アルミ材とアルミ材との間に均一な抵抗溶接接合部（ナゲット）を形成させて接合品質を確保していたが、アルミ材の前処理により製造コストが増大するといった新たな問題を生じていた。また、コンデンサー式溶接電源やインバータ電源等を備える大容量の抵抗溶接機を要するので、設備コストが嵩むと共に消費電力量が増大して製造コストを増大させていた。さらに、材料のばらつき等に起因して鋼材とアルミ材との界面が溶融されて当該鋼材とアルミ材との界面に鉄とアルミとの合金が生成された場合、接合強度が極端に低下してしまうため、溶接電流、電極等をシビアに管理する必要がある。また、上記異種金属接合方法では、鋼材×鋼材及びアルミ材×アルミ材がそれぞれ抵抗溶接され、且つ、鋼材とアルミ材との界面に鉄とアルミとの合金が生成されているため、接合後に分解並びに分別することができず、廃棄又はリサイクルのコストが嵩み製造コストを増大させる要因になっていた。
【特許文献１】特開平６−６３７６３号公報（段落番号００１１〜００１４、第１図）
【発明の開示】
【発明が解決しようとする課題】
【０００４】
そこで本発明は、上記事情に鑑みてなされたもので、第１の目的は、接合品質が確保されると共に製造コストが抑制され、且つ、廃棄又はリサイクル時に分解が可能な異種材料の接合構造を提供することにある。また、第２の目的は、接合品質が確保されると共に製造コストが抑制され、且つ、廃棄又はリサイクル時に分解が可能な異種材料の接合方法を提供することにある。
【課題を解決するための手段】
【０００５】
上記目的を達成するために、本発明のうち請求項１に記載の発明は、異種材料からなる２つの被接合部材が、各材料が２層に圧延されて形成されたクラッド材を介在させて重ね合わされた部分で接合される異種材料の接合構造であって、一方の被接合部材とクラッド材の一層との間に溶接接合部が形成され、また、他方の被接合部材とクラッド材の他層との間に接着接合部が形成されることを特徴とする。
請求項２に記載の発明は、請求項１に記載の発明において、一方の被接合部材とクラッド材の一層との間に、溶接接合部と併せて接着接合が形成されることを特徴とする。
請求項３に記載の発明は、請求項１又は２に記載の発明において、他方の被接合部材と接着接合で接合されるクラッド材の他層の板厚が、一方の被接合部材と溶接接合されるクラッド材の一層の板厚よりも小さく形成されることを特徴とする。
上記目的を達成するために、本発明のうち請求項４に記載の発明は、異種材料からなる２つの被接合部材を、各材料が２層に圧延されて形成されたクラッド材を介在させて重ね合わされた部分で接合させる異種材料の接合方法であって、一方の被接合部材とクラッド材の一層とを溶接接合させつつ、該溶接接合の際に発生された熱により接着剤を硬化させて他方の被接合部材とクラッド材の他層とを接着接合させることを特徴とする。
請求項５に記載の発明は、請求項４に記載の発明において、一方の被接合部材とクラッド材の一層とを、溶接接合と接着接合とを併用させて接合させることを特徴とする。
請求項６に記載の発明は、請求項４又は５に記載の発明において、一方の被接合部材とクラッド材の一層とを、摩擦攪拌接合により接合させることを特徴とする。
請求項７に記載の発明は、請求項６に記載の発明において、一方の被接合部材に回転させた摩擦攪拌用工具を押し付けつつ、他方の被接合部材を回転させた支持用工具により支持させたことを特徴とする。
【０００６】
従って、請求項１に記載の発明では、一方の被接合部材とクラッド材の一層との間に溶接接合部が形成され、また、他方の被接合部材とクラッド材の他層との界面に接着接合部が形成されて、双方の被接合部材がクラッド材を介在させて接合される。
請求項２に記載の発明では、一方の被接合部材とクラッド材の一層との間に溶接接合部が形成されると共に一方の被接合部材とクラッド材の一層との界面に接着接合部が形成される。
請求項３に記載の発明では、他方の被接合部材とクラッド材の他層との接着界面の温度が効率的に上昇される。
請求項４に記載の発明では、一方の被接合部材とクラッド材の一層とが溶接接合されると共に、該溶接接合時の発熱により接着剤が硬化されて他方の被接合部材とクラッド材の他層とが接着接合される。
請求項５に記載の発明では、溶接接合と接着接合とが併用されて、一方の被接合部材とクラッド材の一層とが接合される。
請求項６に記載の発明では、一方の被接合部材とクラッド材の一層とが摩擦攪拌接合により接合され、摩擦攪拌接合時の発熱により、接着剤が硬化されて他方の被接合部材とクラッド材の他層とが接着接合される。
請求項７に記載の発明では、他方の被接合部材とクラッド材の他層との接着界面の温度が効率的に上昇される。
【発明の効果】
【０００７】
接合品質が確保されると共に製造コストが抑制され、且つ、廃棄又はリサイクル時に分解が可能な異種材料の接合構造を提供することができる。また、接合品質が確保されると共に製造コストが抑制され、且つ、廃棄又はリサイクル時に分解が可能な異種材料の接合方法を提供することができる。
【発明を実施するための最良の形態】
【０００８】
（第１の実施の形態）
本発明の第１の実施の形態を、図１〜図３に基づいて説明する。なお、第１の実施の形態では、アルミ材１（被接合部材）と鋼材２（被接合部材）とを、クラッド材３を介して接合させる異種材料の接合構造及び接合方法を説明する。図１に示されるように、本異種材料の接合構造は、アルミ材１と鋼材２とが、クラッド材３を介在させて重ね合わされた部分で接合されている。図２に示されるように、上記クラッド材３は、アルミ材と鋼材とが圧延されてアルミ材の層３ａ（以下、アルミ材層３ａと称す）と鋼材の層３ｂ（以下、鋼材層３ｂと称す）との２層が形成されている。なお、該クラッド材３の両面（図２における紙面視の上下の面）には、所定温度で加熱されることで硬化が開始される熱硬化性の接着剤４が塗布されている。そして、図１に示されるように、本異種材料の接合構造は、アルミ材１とクラッド材３のアルミ材層３ａとの間に摩擦攪拌接合部５が形成されてアルミ材１とクラッド材３とが接合されている。
【０００９】
また、本異種材料の接合構造は、上記摩擦攪拌接合部５が形成される際の摩擦熱によりクラッド材３の鋼材層３ｂに塗布された接着剤４が硬化されて、図１に示されるように、鋼材２とクラッド材３の鋼材層３ｂとの間に接着接合部６が形成されて鋼材２とクラッド材３とが接合される。さらに、本異種材料の接合構造は、上記摩擦攪拌接合部５が形成される際の摩擦熱により、クラッド材３のアルミ材層３ａに塗布された接着剤４が硬化されて、アルミ材１とクラッド材３のアルミ材層３ａとの間に、上記摩擦攪拌接合部５と併せて接着接合部６が形成される構造になっている。なお、本異種材料の接合構造は、摩擦攪拌接合部５が形成される際の摩擦熱により、鋼材２とクラッド材３の鋼材層３ｂとの接着界面に配置された接着剤４が効率的に昇温されるように、クラッド材３の鋼材層３ｂの板厚がアルミ材層３ａの板厚よりも小さく設定されている。
【００１０】
次に、本異種材料の接合方法を説明する。図２に示されるように、アルミ材１と鋼材２とがクラッド材３を介在させて重ね合わされる。この時、クラッド材３は、アルミ材層３ａがアルミ材１（被接合部材）に当接され、且つ、鋼材層３ｂが鋼材２（被接合部材）に当接されるようにして、アルミ材１と鋼材２との間に配置される。そして、アルミ材１と鋼材２とクラッド材３とが重ね合わされた部分に、軸線回りに所定方向へ高速で回転させた摩擦攪拌用工具７（図３参照）をアルミ材１側から各材料１〜３の重ね合わせ方向（図３における紙面視上下方向）へアプローチさせる。そして、図３に示されるように、重ね合わされた各材料１〜３を材料支持用工具８により支持しつつ、回転させた摩擦攪拌用工具７をアルミ材１とクラッド材３とが重ね合わされた部分に押し込んで、その際に発生される摩擦熱により摩擦攪拌用工具７の周辺の材料を軟化させつつ攪拌させる。これにより、図１に示されるように、アルミ材１とクラッド材３のアルミ材層３ａとの間に摩擦攪拌接合部５が形成され、アルミ材１とクラッド材３とが接合される。
【００１１】
また、アルミ材１とクラッド材３とを摩擦攪拌接合させる際に発生される摩擦熱により、クラッド材３の鋼材層３ｂに塗布された接着剤４が硬化されて、図１に示されるように、鋼材２とクラッド材３の鋼材層３ｂとの間に接着接合部６が形成されて鋼材２とクラッド材３とが接合される。これと同時に、クラッド材３のアルミ材層３ａに塗布された接着剤４が硬化されて、アルミ材１とクラッド材３のアルミ材層３ａとの間に、摩擦攪拌接合部５と併せて接着接合部６が形成される。なお、図３に示されるように、本異種材料の接合方法では、クラッド材３の鋼材層３ｂの板厚がアルミ材層３ａの板厚よりも小さく形成され、且つ、摩擦攪拌用工具７に対して同軸上に配置されて鋼材２に接触された上記材料支持用工具８を摩擦攪拌用工具７と反対回りに回転させたことにより、鋼材２とクラッド材３の鋼材層３ｂとの接着界面に配置された接着剤４が効率的に昇温されて硬化される。
【００１２】
第１の実施の形態では以下の効果を奏する。
アルミ材１（被接合部材）とクラッド材３のアルミ材層３ａとが摩擦攪拌接合され、また、摩擦攪拌接合時に発生される摩擦熱によりクラッド材３に塗布された接着剤４が硬化されて鋼材２とクラッド材３の鋼材層３ｂとが接着接合されて、アルミ材１と鋼材２とがクラッド材３を介在させて重ね合わされた部分で接合される。
従って、アルミ材×アルミ材の組み合わせの抵抗溶接が廃止され、大容量の溶接電源を備える高価な抵抗溶接機が不要になり、設備コストを削減することができる。また、アルミ材１とクラッド材３との間の接合強度及び鋼材２とクラッド材３との間の接合強度が確保され、接合品質を向上させることができる。また、アルミ材１×アルミ材１の抵抗溶接が廃止されたことで、従来の、アルミ材１の酸化膜を除去した後、当該アルミ材１を熱処理を行う前処理工程が不要になり、製造コストを削減することができる。
また、接着剤４がクラッド材３の両面に塗布されたことにより、アルミ材１とクラッド材３との間に摩擦攪拌接合部５と併せて接着接合部６が形成されて、アルミ材１とクラッド材３との接合をより信頼性の高いものにすることができる。さらに、アルミ材×アルミ材の接合に好適な摩擦攪拌接合によりアルミ材１とクラッド材３（アルミ材層３ａ）とが接合されるので、比較的板厚が厚いアルミ材１の接合に対応することができる。
また、アルミ材１とクラッド材３との摩擦攪拌接合させる際に、鋼材２に接触された材料支持用工具８が摩擦攪拌用工具７の回転方向と反対方向へ回転されることにより、鋼材２とクラッド材３との接着界面に配置された接着剤４を効率的に昇温させて硬化させることができる。さらに、クラッド材３の鋼材層３ｂの板厚（被接合部材と接着剤４のみで接合される側の層の板厚）がアルミ材層３ａの板厚よりも小さく設定されたので、鋼材２とクラッド材３との接着界面に配置された接着剤４をより効率的に昇温させて硬化させることが可能になる。
また、アルミ材１と鋼材２との間に、当該アルミ材１と鋼材２との合金が形成されないので、廃棄又はリサイクル時には、例えば、接合された部分を高温で保持させることにより、クラッド材２をアルミ材層３ａと鋼材層３ｂとに分離させてアルミ材部分と鋼材部分とに分解させることが可能になる。これにより、廃棄又はリサイクルの処理コストが削減されて、製造コストを低減することができる。
【００１３】
なお、第１の実施の形態は、異種材料の組み合わせとしてアルミ材１（被接合部材）と鋼材２（被接合部材）とが組み合わされたが、該組み合わせに限らず、必要に応じて組み合わせればよい。
また、摩擦攪拌用工具７並びに材料支持用工具８の回転方向は、必要に応じて個別に設定すればよい。
【００１４】
（第２の実施の形態）
本発明の第２の実施の形態を図４〜図６に基づいて説明する。なお、前述の第１の実施の形態と同一又は相当する構成要素には、同一の符号を付与すると共にその詳細な説明を省く。図４に示されるように、本異種材料の接合構造は、アルミ材１と鋼材２とが、クラッド材３を介在させて重ね合わされた部分で接合されている。そして、本異種材料の接合構造は、鋼材２とクラッド材３の鋼材層３ｂとの間に抵抗溶接接合部９（ナゲット）が形成されて鋼材２とクラッド材３とが接合されている。また、本異種材料の接合構造は、上記抵抗溶接接合部９が形成される際の発熱によりクラッド材３のアルミ材層３ａに塗布された接着剤４が硬化され、アルミ材１とクラッド材３のアルミ材層３ａとの間に接着接合部６が形成されてアルミ材１とクラッド材３とが接合される。さらに、本異種材料の接合構造は、上記抵抗溶接接合部９が形成される際の発熱により、クラッド材３の鋼材層３ｂに塗布された接着剤４が硬化されて、鋼材２とクラッド材３の鋼材層３ｂとの間に、上記抵抗溶接接合部９と併せて接着接合部６が形成される構造になっている。
【００１５】
なお、本異種材料の接合構造は、抵抗溶接接合部９が形成される際の発熱により、アルミ材１とクラッド材３のアルミ材層３ａとの接着界面に配置された接着剤４が効率的に昇温されるように、図５に示されるように、クラッド材３のアルミ材層３ａの板厚が鋼材層３ｂの板厚よりも小さく設定されている。また、上記抵抗溶接接合部９は、アルミ材１が鋼材２と比較して電気抵抗値が小さい（通電させた際の発熱量が小さい）ことに加えて、図６に示されるように、溶接電流が直流式の溶接電源が装備された抵抗溶接機により鋼材２に当接させた電極チップ１０からアルミ材１に当接させた電極チップ１１に向けて通電されることで、ペルチェ効果により、鋼材２とクラッド材３の鋼材層３ｂとの間が効率的に発熱されて溶融され、当該鋼材２とクラッド材３の鋼材層３ｂとの間のみに抵抗溶接接合部９が形成される構造になっている。
【００１６】
次に、本異種材料の接合方法を説明する。図５に示されるように、アルミ材１と鋼材２とがクラッド材３を介在させて重ね合わされる。この時、クラッド材３は、アルミ材層３ａがアルミ材１（被接合部材）に当接され、且つ、鋼材層３ｂが鋼材２（被接合部材）に当接されるようにして、アルミ材１と鋼材２との間に配置される。そして、図６に示されるように、アルミ材１と鋼材２とクラッド材３とが重ね合わされた部分を、抵抗溶接機の電極チップ１０，１１により所定加圧力で保持させ、この状態で電極チップ１０，１１間に溶接電流を通電させる。これにより、図４及び図６に示されるように、鋼材２とクラッド材３の鋼材層３ｂとの間に抵抗溶接接合部９（ナゲット）が形成され、鋼材２とクラッド材３とが接合される。なお、本異種材料の接合方法では、溶接電流を鋼材２に当接させた電極チップ１０からアルミ材１に当接させた電極チップ１１に向けて通電させることにより、アルミ材１が鋼材２と比較して電気抵抗値が小さく通電させた際の発熱量が小さいことに加えて、ペルチェ効果により、鋼材２とクラッド材３の鋼材層３ｂとの間が発熱されて溶融され、当該鋼材２とクラッド材３の鋼材層３ｂとの間のみに抵抗溶接接合部９が形成されて鋼材２とクラッド材３とが接合される。
【００１７】
また、鋼材２とクラッド材３とを抵抗溶接接合させる際の発熱により、クラッド材３のアルミ材層３ａに塗布された接着剤４が硬化されて、図４及び図６に示されるように、アルミ材１とクラッド材３のアルミ材層３ａとの間に接着接合部６が形成されてアルミ材１とクラッド材３とが接合される。これと同時に、クラッド材３の鋼材層３ｂに塗布された接着剤４が硬化されて、鋼材２とクラッド材３の鋼材層３ｂとの間に、抵抗溶接接合部９と併せて接着接合部６が形成される。なお、本異種材料の接合構造では、クラッド材３のアルミ材層３ａの板厚が鋼材層３ｂの板厚よりも小さく形成されることにより、アルミ材１とクラッド材３のアルミ材層３ａとの接着界面に配置された接着剤４が効率的に昇温されて硬化される。
【００１８】
第２の実施の形態では以下の効果を奏する。
鋼材２（被接合部材）とクラッド材３の鋼材層３ｂとが抵抗溶接接合され、また、抵抗溶接接合時の発熱によりクラッド材３に塗布された接着剤４が硬化されてアルミ材１とクラッド材３のアルミ材層３ａとが接着接合されて、アルミ材１と鋼材２とがクラッド材３を介在させて重ね合わされた部分で接合される。
従って、アルミ材×アルミ材の組み合わせの抵抗溶接が廃止され、大容量の溶接電源を備える高価な抵抗溶接機が不要になり既存の抵抗溶接機（鋼材×鋼材の接合が行われる汎用抵抗溶接機）により接合することが可能になり、設備コストを大幅に削減することができる。また、抵抗溶接による消費電力量が低減され、製造コストを削減することができる。さらに、アルミ材１×アルミ材１の抵抗溶接が廃止されたことで、従来の、アルミ材１の酸化膜を除去した後、当該アルミ材１を熱処理を行う前処理工程が不要になり、製造コストを削減することができる。
また、アルミ材１とクラッド材３との間の接合強度及び鋼材２とクラッド材３との間の接合強度が確保され、接合品質を向上させることができる。さらに、鋼材２とクラッド材３との間に抵抗溶接接合部９と併せて接着接合部６が形成されて、鋼材２とクラッド材３との接合をより信頼性の高いものにすることができる。
また、クラッド材３のアルミ材層３ａの板厚（被接合部材と接着剤４のみで接合される側の層の板厚）が鋼材層３ｂの板厚よりも小さく設定されたので、アルミ材１とクラッド材３との接着界面に配置された接着剤４をより効率的に昇温させて硬化させることが可能になる。
また、アルミ材１と鋼材２との間に、当該アルミ材１と鋼材２との合金からなる抵抗溶接接合部９が形成されないので、廃棄又はリサイクル時には、例えば、接合された部分を高温で保持させることにより、クラッド材２をアルミ材層３ａと鋼材層３ｂとに分離させてアルミ材部分と鋼材部分とに分解させることが可能になる。これにより、廃棄又はリサイクルの処理コストが削減されて、製造コストを低減することができる。
【００１９】
なお、第２の実施の形態は、異種材料の組み合わせとしてアルミ材１（被接合部材）と鋼材２（被接合部材）とが組み合わされたが、該組み合わせに限らず、必要に応じて組み合わせればよい。
【図面の簡単な説明】
【００２０】
【図１】第１の実施の形態の説明図であって、アルミ材とクラッド材とがクラッド材を介して接合された状態を示す断面図である。
【図２】第１の実施の形態の説明図であって、アルミ材と鋼材とが、クラッド材を介在させて重ね合わされた状態を示す図である。
【図３】第１の実施の形態の説明図であって、アルミ材とクラッド材とが摩擦攪拌接合される状態を示す図である。
【図４】第２の実施の形態の説明図であって、アルミ材と鋼材とがクラッド材を介して接合された状態を示す断面図である。
【図５】第２の実施の形態の説明図であって、アルミ材と鋼材とが、クラッド材を介在させて重ね合わされた状態を示す図である。
【図６】第２の実施の形態の説明図であって、アルミ材とクラッド材とが抵抗溶接接合される状態を示す図である。
【符号の説明】
【００２１】
１  アルミ材（被接合部材）、２  鋼材（被接合部材）、３  クラッド材、３ａ  アルミ材層（クラッド材の層）、３ｂ  鋼材層（クラッド材の層）、４  接着剤、５  摩擦攪拌接合部（溶接接合部）、６  接着接合部、９  抵抗溶接接合部（溶接接合部）
【図１】
2005111489.tif 000003
【図２】
2005111489.tif 000004
【図３】
2005111489.tif 000005
【図４】
2005111489.tif 000006
【図５】
2005111489.tif 000007
【図６】
2005111489.tif 000008